(57)【要約】【課題】電極組立体の端面からのリードやタブの突出する量を小さくすることができ、リードの折り曲げ加工を不要にする。【解決手段】蓄電装置としての二次電池は、正極１４及び負極１５が絶縁された層状の構造を成し、正極１４及び負極１５はそれぞれ複数枚の正極タブ１４ｂあるいは負極タブが積層状態で正極用導電部材２４あるいは負極用導電部材を介して正極端子あるいは負極端子と電気的に接続された電極組立体１２を備える。正極タブ１４ｂは、先端部が傾斜面を形成するように積層され、かつ正極用導電部材２４と保護板２６とに積層方向から挟まれた状態で基端側において溶接されており、正極タブ１４ｂの先端側が折り曲げられた状態で正極用導電部材２４と保護板２６との間に収納されている。負極タブも同様な構造で負極端子に接続されている。【選択図】図４
2015225740.tif 000002
【特許請求の範囲】
【請求項１】
正極及び負極が絶縁された層状の構造を成し、前記正極及び前記負極はそれぞれ複数枚の正極タブ及び負極タブが積層状態で導電部材を介して電極端子と電気的に接続された電極組立体を備える蓄電装置であって、
前記正極タブ及び前記負極タブは、それぞれ先端部が傾斜面を形成するように積層され、かつ前記導電部材と保護板とに積層方向から挟まれた状態で基端側において溶接されており、前記正極タブ及び前記負極タブの先端側が折り曲げられた状態で前記導電部材と前記保護板との間に収納されていることを特徴とする蓄電装置。
【請求項２】
前記正極タブ及び前記負極タブの折り曲げ箇所は、前記傾斜面の部分の半分より先端側である請求項１に記載の蓄電装置。
【請求項３】
前記保護板は平板である請求項２に記載の蓄電装置。
【請求項４】
前記正極タブ及び前記負極タブの折り曲げ箇所は、前記傾斜面の部分の半分より根元側である請求項１に記載の蓄電装置。
【請求項５】
前記保護板は段付き板である請求項４に記載の蓄電装置。
【発明の詳細な説明】
【技術分野】
【０００１】
本発明は、蓄電装置に係り、詳しくはタブと導電部材との接合構造に特徴を有する蓄電装置に関する。
【背景技術】
【０００２】
二次電池やキャパシタのような蓄電装置は再充電が可能であり、繰り返し使用することができるため電源として広く利用されている。一般に、容量の大きな蓄電装置は電極組立体を収納するケースを備え、そのケース内に電極組立体が収納されている。そして、蓄電装置からの電力の取り出しは、電極組立体の正極及び負極に接続された電極端子を通して行われている。
【０００３】
電極組立体には、例えば、複数の正極と複数の負極との間にセパレータを介在させた状態で積層した積層型の電極組立体がある。正極及び負極は、それぞれ複数枚のタブと呼ばれる金属箔の部分を有し、複数枚のタブが導電部材（リード）を介して正極端子あるいは負極端子に積層された状態で溶接されている。
【０００４】
タブが電極組立体の積層方向と直交する状態で導電部材を介して正極端子や負極端子に電気的に接続された構成では、電極組立体の積層方向と交差する方向のデッドスペースが大きくなる。従来、電極組立体の積層方向と交差する方向のデッドスペースを少なくすることができ、かつ導電部材をタブに取り付ける際のタブの損傷も生じ難くすることができる蓄電装置が提案されている（特許文献１参照）。図１１に示すように、この蓄電装置は、板状の正極リード７０を積層された正極タブ７１に溶接し、正極リード７０を正極タブ７１の先端側７２とともに折り曲げて、先端側７２を正極リード７０の内側に収納している。正極リード７０は、正極タブ７１の折り返し部７３を収納する収納部７４と、正極タブ７１の基端側７５を凸として湾曲する保護部７６とを有する。また、図示しないが、負極リードと負極タブも同様な構造で溶接されている。
【先行技術文献】
【特許文献】
【０００５】
【特許文献１】特開２０１３−１６１７５７号公報
【発明の概要】
【発明が解決しようとする課題】
【０００６】
ところが、特許文献１の構成では、リードの先端側に積層タブ群の先端側の折り曲げ部を収納する収納部７４が折り曲げ形成され、基端側にはタブの基端側に凸となるように湾曲する保護部７６が形成されているため、リードの折り曲げ加工に手間が掛かる。また、保護部７６が存在する分、余分なスペースが必要になる。
【０００７】
本発明は、前記の問題に鑑みてなされたものであって、その目的は、電極組立体の端面からのリードやタブの突出する量を小さくすることができ、リードの折り曲げ加工を不要にすることができる蓄電装置を提供することにある。
【課題を解決するための手段】
【０００８】
上記課題を解決する蓄電装置は、正極及び負極が絶縁された層状の構造を成し、前記正極及び前記負極はそれぞれ複数枚の正極タブ及び負極タブが積層状態で導電部材を介して電極端子と電気的に接続された電極組立体を備える蓄電装置である。そして、前記正極タブ及び前記負極タブは、それぞれ先端部が傾斜面を形成するように積層され、かつ前記導電部材と保護板とに積層方向から挟まれた状態で基端側において溶接されており、前記正極タブ及び前記負極タブの先端側が折り曲げられた状態で前記導電部材と前記保護板との間に収納されている。ここで、「先端部が傾斜面を形成するように」とは、各正極タブの先端部あるいは各負極タブの先端部が仮想の傾斜面上に存在することを意味する。
【０００９】
この構成によれば、導電部材との接触面積を十分に確保するために、正極タブや負極タブの長さを長くした場合でも、先端部が導電部材からはみ出てケースの内面と接触する虞がない。また、正極タブや負極タブを折り曲げる際に導電部材を折り曲げる必要がない。また、電極組立体の端面と正極タブあるいは負極タブとの間には、導電部材の一部をなす湾曲部（保護部）が存在しないため、余分なスペースを設ける必要がない。したがって、電極組立体の端面からのリードやタブの突出する量を小さくすることができ、リードの折り曲げ加工を不要にすることができる。
【００１０】
前記正極タブ及び前記負極タブの折り曲げ箇所は、前記傾斜面の部分の半分より先端側であることが好ましい。この構成によれば、積層タブ群の先端側の折り曲げられた部分が重ねられた箇所の全体の厚さが、積層タブ群の基端側の厚さ未満にすることが可能なため、保護板として段付き板ではなく平板を使用しても、積層タブ群の先端側の折り曲げられた部分を、導電部材と保護板との間に収納することができる。
【００１１】
前記保護板は平板であることが好ましい。保護板は段付板でもよいが、平板の方が製造が簡単である。
前記正極タブ及び前記負極タブの折り曲げ箇所は、前記傾斜面の部分の半分より根元側であることが好ましい。この構成によれば、折り曲げ箇所が傾斜面の部分の半分より先端側の場合に比べて、導電部材及び保護板の電極組立体の厚さ方向（電極の積層方向）の長さを短くすることができる。
【００１２】
前記保護板は段付き板であることが好ましい。正極タブ及び負極タブの折り曲げ箇所が、傾斜面の部分の半分より根元側である場合、折り曲げられた正極タブあるいは負極タブの先端側の部分を導電部材と保護板との間に収納するには、保護板又は導電部材のいずれかに段部を設ける必要がある。その場合、保護板は導電部材に比べて薄いため、保護板を段付き板とする方が、導電部材を段付きにするより簡単にできる。
【発明の効果】
【００１３】
本発明によれば、電極組立体の端面からのリードやタブの突出する量を小さくすることができ、リードの折り曲げ加工を不要にすることができる。
【図面の簡単な説明】
【００１４】
【図１】第１の実施形態における二次電池の分解斜視図。
【図２】二次電池の断面図。
【図３】電極組立体の構成要素を示す分解斜視図。
【図４】タブ、保護板及びリードの接合構造を示す二次電池の部分断面図。
【図５】タブ、保護板及びリードの接合構造を示す部分断面図。
【図６】（ａ），（ｂ），（ｃ）はタブ、保護板及びリードの溶接及び折り曲げ手順を示す模式図。
【図７】（ａ），（ｂ），（ｃ）は第２の実施形態におけるタブ、保護板及びリードの溶接及び折り曲げ手順を示す模式図。
【図８】（ａ），（ｂ），（ｃ）は別の実施形態のタブ、保護板及びリードの溶接及び折り曲げ手順を示す模式図。
【図９】（ａ），（ｂ），（ｃ）は別の実施形態のタブ、保護板及びリードの溶接及び折り曲げ手順を示す模式図。
【図１０】（ａ）別の実施形態の模式図、（ｂ）は巻回型の電極組立体を有する二次電池の断面図。
【図１１】従来技術の断面図。
【発明を実施するための形態】
【００１５】
（第１の実施形態）
以下、本発明を積層型の電極組立体を備えた二次電池に具体化した第１の実施形態を図１〜図６にしたがって説明する。
【００１６】
図１及び図２に示すように、蓄電装置としての二次電池１０は、有底箱状のケース本体１１ａ及びその開口部を覆う蓋体１１ｂとで構成された四角箱状のケース１１内に、積層型の電極組立体１２及び電解液（図示せず）が収納されている。
【００１７】
図１及び図３に示すように、電極組立体１２は、金属箔１３の両面に活物質層１４ａを有する複数の正極１４と、金属箔１３の両面に活物質層１５ａを有する複数の負極１５とが、両者の間にセパレータ１６が介在する状態で積層されている。正極１４及び負極１５は、活物質層１４ａ，１５ａが形成された部分が矩形状に形成されている。各正極１４には、電極組立体１２の一端面（図１及び図２において上端面）の左側寄りに正極タブ１４ｂが突設されている。正極タブ１４ｂは金属箔１３の一部が活物質層１４ａの一端から突出するようにして形成されている。各負極１５には、電極組立体１２の一端面（図１及び図２において上端面）の右側寄りに負極タブ１５ｂが突設されている。負極タブ１５ｂは金属箔１３の一部が活物質層１５ａの一端から突出するようにして形成されている。
【００１８】
セパレータ１６は、正極１４と負極１５との間の電気的絶縁性を確保するため、正極タブ１４ｂ及び負極タブ１５ｂを除いた正極１４及び負極１５の矩形部より大きな矩形状に形成されている。二次電池１０がリチウムイオン二次電池の場合、正極１４用の金属箔１３はアルミニウム箔が好ましく、負極１５用の金属箔１３は銅箔が好ましい。
【００１９】
図２に示すように、電極組立体１２はケース１１に収納された状態において、電極端子としての正極端子２１及び負極端子２２が蓋体１１ｂから突出する状態に形成されている。正極端子２１及び負極端子２２は、蓋体１１ｂに形成された孔１１ｃに取り付けられたリング状の絶縁部材２３を貫通する状態で設けられている。なお、ケース本体１１ａの内面及び蓋体１１ｂの内面には、絶縁シート１１ｄが取着されている。
【００２０】
図１に示すように、正極タブ１４ｂ及び負極タブ１５ｂは、それぞれ先端側が電極組立体１２の上端面に沿って延びるように折り曲げられた状態で正極用導電部材２４及び負極用導電部材２５に溶接されている。
【００２１】
次に、正極タブ１４ｂと正極用導電部材２４及び負極タブ１５ｂと負極用導電部材２５の接合構造について詳しく説明する。なお、正極タブ１４ｂと正極用導電部材２４の接合構造は、負極タブ１５ｂと負極用導電部材２５の接合構造と同一構造であるため、以下では正極タブ１４ｂと正極用導電部材２４の接合構造について説明する。
【００２２】
図４に示すように、正極タブ１４ｂは、全ての正極タブ１４ｂがタブ群の一端側（図４における左端側）に位置する正極タブ１４ｂ側に向かって集められ、かつ互いに当接する状態に積層されて正極用導電部材２４と対向する部分が電極組立体１２の端面に沿って延びる状態で、正極用導電部材２４及び保護板２６に溶接されている。各正極タブ１４ｂは、正極用導電部材２４と保護板２６とに積層方向から挟持された状態で溶接部２７において溶接されている。正極用導電部材２４及び保護板２６は、正極タブ１４ｂと同じ材質である。また、負極タブ１５ｂの接合構造の場合、負極用導電部材２５及び保護板２６は、負極タブ１５ｂと同じ材質である。なお、正極タブ１４ｂの数は実際は数十枚程度であるが、便宜上５枚を図示して説明する。
【００２３】
保護板２６は、電極組立体１２の厚さ方向（正極１４の積層方向）の長さが正極用導電部材２４とほぼ同じに形成されるとともに、ほぼ中間部に段部２６ａがある段付板で形成されている。そして、正極タブ１４ｂのうち先端部が正極用導電部材２４からはみ出す正極タブ１４ｂは、先端側が折り曲げられて先端部が正極用導電部材２４と保護板２６との間に収納されている。なお、保護板２６の厚さは正極用導電部材２４に比べて薄く、例えば、正極用導電部材２４の厚さが１．５ｍｍに対して保護板２６の厚さは０．５ｍｍである。この実施形態では、積層された正極タブ１４ｂの折り曲げ箇所が、各正極タブ１４ｂが折り曲げられる前の状態（図５に示す状態）において、各正極タブ１４ｂの先端部が形成する傾斜面１７（図５に２点鎖線で示す）の部分の半分より根元側となるように折り曲げられている。
【００２４】
次に前記の接合構造の形成手順の一例を説明する。
正極タブ１４ｂ、正極用導電部材２４及び保護板２６を溶接する場合は、先ず、図５に示すように、正極タブ１４ｂは、全ての正極タブ１４ｂをタブ群の一端側（図５における左端側）に位置する正極タブ１４ｂ側に向かって集められる。この状態では、各正極タブ１４ｂの先端の位置は一致せずに、先端部が順にずれた階段状、即ち先端部が傾斜面１７を形成する状態になる。
【００２５】
次に、正極タブ１４ｂの積層部１９の基端側と、正極用導電部材２４の基端側とがほぼ一致する状態に正極用導電部材２４を配置し、図示しない治具で正極タブ１４ｂ及び正極用導電部材２４を支持する。
【００２６】
次に、正極用導電部材２４から先端部がはみ出している正極タブ１４ｂの先端側を図６（ａ）に矢印で示す方向に折り曲げるとともに、保護板２６を正極タブ１４ｂの積層部１９に重ねる。その結果、正極用導電部材２４から先端部がはみ出していた正極タブ１４ｂは、図６（ｂ）に示すように、先端部が保護板２６の内側に位置するように折り曲げられて、全ての正極タブ１４ｂの先端部が正極用導電部材２４と保護板２６の間に収納された状態になる。
【００２７】
次に、正極タブ１４ｂ、正極用導電部材２４及び保護板２６が抵抗溶接により溶接されて、図６（ｃ）に示すように溶接部２７で溶接された状態になる。次に正極タブ１４ｂを正極用導電部材２４及び保護板２６が電極組立体１２の端面と平行になるように、正極用導電部材２４及び保護板２６に挟持されている箇所より基端側において折り曲げると、図４に示す状態になり、正極タブ１４ｂ、正極用導電部材２４及び保護板２６の接合構造が完成する。なお、図６（ａ）〜（ｃ）においては、電極組立体１２及び積層された正極タブ１４ｂを模式的に図示している。
【００２８】
次に前記のように構成された二次電池１０の作用を説明する。
正極タブ１４ｂは正極用導電部材２４と保護板２６に挟持された状態で溶接され、先端部が正極用導電部材２４と保護板２６との間に収納されている。したがって、正極用導電部材２４や負極用導電部材２５との接触面積を十分に確保するために、正極タブ１４ｂや負極タブ１５ｂの長さを長くした場合でも、正極用導電部材２４あるいは負極用導電部材２５からはみ出る先端部がケース本体１１ａの内面と接触する虞がない。また、正極タブ１４ｂや負極タブ１５ｂを折り曲げる際に正極用導電部材２４や負極用導電部材２５を折り曲げる必要がない。さらに、電極組立体１２の端面と正極タブ１４ｂあるいは負極タブ１５ｂとの間には、特許文献１のような導電部材の一部をなす湾曲部（保護部）が存在しないため、余分なスペースを設ける必要がない。
【００２９】
この実施形態によれば、以下に示す効果を得ることができる。
（１）蓄電装置としての二次電池１０は、正極１４及び負極１５が絶縁された層状の構造を成し、正極１４及び負極１５はそれぞれ複数枚の正極タブ１４ｂ及び負極タブ１５ｂが積層状態で導電部材（正極用導電部材２４、負極用導電部材２５）を介して電極端子（正極端子２１、負極端子２２）と電気的に接続された電極組立体１２を備える蓄電装置である。そして、正極タブ１４ｂ及び負極タブ１５ｂは、先端部が傾斜面１７を形成するように積層され、かつ導電部材と保護板２６とに積層方向から挟まれた状態で基端側において溶接されており、正極タブ１４ｂ及び負極タブ１５ｂの先端側が折り曲げられた状態で導電部材と保護板２６との間に収納されている。したがって、電極組立体１２の端面からのリードやタブの突出する量を小さくすることができ、リードの折り曲げ加工を不要にすることができる。
【００３０】
（２）正極タブ１４ｂ及び負極タブ１５ｂの折り曲げ箇所は、各正極タブ１４ｂあるいは各負極タブ１５ｂの先端部が形成する傾斜面１７の部分の半分より根元側である。この構成によれば、折り曲げ箇所が傾斜面１７の部分の半分より先端側の場合に比べて、正極用導電部材２４、負極用導電部材２５及び保護板２６の電極組立体１２の厚さ方向（電極の積層方向）の長さを短くすることができる。
【００３１】
（３）保護板２６は段付き板である。正極タブ１４ｂ及び負極タブ１５ｂの折り曲げ箇所が、傾斜面１７の部分の半分より根元側である場合、折り曲げられた正極タブ１４ｂあるいは負極タブ１５ｂの先端側の部分を正極用導電部材２４あるいは負極用導電部材２５と保護板２６との間に収納するには、保護板２６又は導電部材のいずれかに段部を設ける必要がある。その場合、保護板２６は導電部材に比べて薄いため、保護板２６を段付き板とする方が、導電部材を段付きにするより簡単にできる。
【００３２】
（４）正極タブ１４ｂの接合構造の場合、正極用導電部材２４及び保護板２６は、正極タブ１４ｂと同じ材質であり、負極タブ１５ｂの接合構造の場合、負極用導電部材２５及び保護板２６は、負極タブ１５ｂと同じ材質である。したがって、電食が防止される。
【００３３】
（第２の実施形態）
次に、本発明を具体化した第２の実施形態を図７（ａ）〜（ｃ）にしたがって説明する。なお、第２の実施形態は、第１の実施形態のタブと導電部材との接合構造の形成手順を変更した構成であるため、同様の部分についてはその詳細な説明を省略する。
【００３４】
この実施形態では、タブと導電部材との接合構造の形成手順として、積層タブ群の先端側を折り曲げる前に、タブの積層部１９を導電部材（正極用導電部材２４又は負極用導電部材２５）と保護板２６とで挟持した状態で溶接した後、タブの先端側を折り曲げて、導電部材と保護板２６との間に収納する点が第１の実施形態と異なっている。
【００３５】
正極タブ１４ｂと正極用導電部材２４との接合構造を例に説明すると、先ず、全ての正極タブ１４ｂをタブ群の一端側に位置する正極タブ１４ｂ側に向かって集め、各正極タブ１４ｂの先端部が傾斜面を形成するように積層した状態において、図７（ａ）に示すように、タブ群を正極用導電部材２４と保護板２６とで挟持した状態で溶接する。保護板２６は、段付きではなく断面Ｌ字状の物を使用する。
【００３６】
次に図７（ｂ）に示すように、積層タブ群の先端側を折り曲げた後、Ｌ字状の保護板２６の溶接されていない側を、正極用導電部材２４と平行になるように折り曲げる。その結果、図７（ｃ）に示すように、積層タブ群は積層タブ群の先端側の折り曲げられた部分が正極用導電部材２４と段付きの保護板２６との間に収納された状態になる。その状態から正極タブ１４ｂを正極用導電部材２４及び保護板２６に挟持されている箇所より基端側において、正極用導電部材２４及び保護板２６が電極組立体１２の端面と平行になるように折り曲げると、第１の実施形態の図４に示す状態になり、正極タブ１４ｂ、正極用導電部材２４及び保護板２６の接合構造が完成する。
【００３７】
この実施形態では、第１の実施形態における（１）〜（４）と同様の効果に加えて、次の効果を得ることができる。
（５）正極タブ１４ｂの積層群を、正極用導電部材２４及び保護板２６で挟持して溶接した後、積層タブ群の先端側を折り曲げる。そのため、積層タブ群の先端側を折り曲げる際に、正極タブ１４ｂ、正極用導電部材２４及び保護板２６の位置関係がずれることがない。
【００３８】
（６）折り曲げられた先端側を正極用導電部材２４との間で収納する保護板２６の部分は、積層タブ群の先端側を折り曲げる際には正極用導電部材２４と平行な位置に配置されておらずに、積層タブ群に対してほぼ直角となるように配置されており、積層タブ群の先端側が折り曲げられた後、正極用導電部材２４と平行な状態に折り曲げ配置される。したがって、平行に延びる状態の正極用導電部材２４と保護板２６との間に、積層タブ群の先端側を折り曲げながら挿入配置する場合に比べて作業が容易になる。
【００３９】
実施形態は前記に限定されるものではなく、例えば、次のように具体化してもよい。
○  図８（ａ）に示すように、正極タブ１４ｂのタブ群を正極用導電部材２４と段付きの保護板２６とで挟持するように重ねた状態に保持した後、図８（ｂ）に示すように、タブ群を正極用導電部材２４及び保護板２６と溶接する。溶接後、図８（ｃ）に示すように、積層タブ群の先端側を折り曲げて、正極用導電部材２４と保護板２６との間に収納する。その後、正極タブ１４ｂを正極用導電部材２４及び保護板２６に挟持されている箇所より基端側において、正極用導電部材２４及び保護板２６が電極組立体１２の端面と平行になるように折り曲げてもよい。負極タブ１５ｂの場合も同様である。
【００４０】
○  図９（ａ）に示すように、先ず、正極タブ１４ｂのタブ群を正極用導電部材２４と段付きの保護板２６とで挟持するように重ねた状態で溶接する。次に、図９（ｂ）に示すように、保護板２６の先端側を正極タブ１４ｂの積層タブ群に対してほぼ直角となるように折り曲げた状態で積層タブ群の先端側を折り曲げる。その後、図９（ｃ）に示すように、保護板２６を正極用導電部材２４と平行になるように折り曲げて、積層タブ群の先端側の折り曲げられた部分を正極用導電部材２４と段付きの保護板２６との間に収納された状態にする。最後に、正極タブ１４ｂを正極用導電部材２４及び保護板２６に挟持されている箇所より基端側において、正極用導電部材２４及び保護板２６が電極組立体１２の端面と平行になるように折り曲げてもよい。負極タブ１５ｂの場合も同様である。
【００４１】
○  正極タブ１４ｂ及び負極タブ１５ｂの折り曲げ箇所は、各正極タブ１４ｂあるいは各負極タブ１５ｂの先端部が形成する傾斜面１７の部分の半分より根元側ではなく、図１０（ａ）に示すように、傾斜面１７の部分の半分より先端側であってもよい。この場合、保護板２６として段付き板ではなく平板を使用しても、積層タブ群の先端側の折り曲げられた部分を、正極用導電部材２４と段付きの保護板２６との間に収納することができる。保護板２６として平板を使用した場合、保護板２６の製造が簡単になる。
【００４２】
○  正極タブ１４ｂ及び負極タブ１５ｂの折り曲げ箇所は、各正極タブ１４ｂあるいは各負極タブ１５ｂの先端部が形成する傾斜面１７の部分の半分の位置であってもよい。
○  正極タブ１４ｂあるいは負極タブ１５ｂと溶接される導電部材及び保護板は、正極タブ１４ｂあるいは負極タブ１５ｂと異なる材質であってもよい。
【００４３】
○  電極組立体１２は積層型の電極組立体に限らず、帯状の正極及び負極がセパレータを間に挟んだ積層状態で巻回された巻回型の電極組立体であってもよい。例えば、図１０（ｂ）に示すように、巻回型の電極組立体３０は、帯状の正極及び負極が、セパレータ３１が外周側に存在する状態で巻回され、かつ巻回軸方向が二次電池１０のケース１１の左右方向となる状態でケース１１に収容されている。正極タブ３２が電極組立体３０の軸方向の一端側から突出し、負極タブ３３が他端側から突出するように設けられている。正極タブ３２は、正極用導電部材３４を介して正極端子３５と電気的に接続され、負極タブ３３は、負極用導電部材３６を介して負極端子３７と電気的に接続されている。
【００４４】
○  積層型の電極組立体１２においても、正極タブ１４ｂ及び負極タブ１５ｂは、電極組立体１２の同じ側の端面から突出する構成に限らず、異なる端面から突出してもよい。
○  正極タブ１４ｂあるいは負極タブ１５ｂと、導電部材及び保護板との溶接は、抵抗溶接に限らず、他の溶接方法、例えば、超音波溶接であってもよい。
【００４５】
○  電極、即ち正極１４及び負極１５は、金属箔１３の少なくとも片面に活物質層１４ａ，１５ａを有していればよく、両面ではなく片面に活物質層１４ａ，１５ａ有する構成であってもよい。
【００４６】
○  正極タブ１４ｂあるいは負極タブ１５ｂを金属箔１３の一部を突設して形成する代わりに、金属箔１３にタブとなる金属箔を溶接して形成してもよい。
○  積層型の電極組立体１２において、正極１４及び負極１５の間にセパレータ１６が存在する構成として、シート状のセパレータ１６を使用せずに、例えば、正極１４及び負極１５の一方を袋状のセパレータに収容して、そのセパレータと袋状のセパレータに収容されていない電極とを交互に積層してもよい。
【００４７】
○  二次電池１０は電解液が必須ではなく、例えば、セパレータ１６が高分子電解質で形成されていてもよい。
○  二次電池１０は、リチウムイオン二次電池に限らず、ニッケル水素二次電池やニッケルカドミウム二次電池、マグネシウム二次電池等の他の二次電池であってもよい。
【００４８】
○  蓄電装置は、二次電池１０に限らず、例えば、電気二重層キャパシタやリチウムイオンキャパシタ等のようなキャパシタであってもよい。
【符号の説明】
【００４９】
１０…蓄電装置としての二次電池、１２，３０…電極組立体、１４…正極、１４ｂ，３２…正極タブ、１５…負極、１５ｂ，３３…負極タブ、１７…傾斜面、２１，３５…電極端子としての正極端子、２２，３７…電極端子としての負極端子、２４，３４…導電部材としての正極用導電部材、２５，３６…導電部材としての負極用導電部材、２６…保護板。
【図１】
2015225740.tif 000003
【図２】
2015225740.tif 000004
【図３】
2015225740.tif 000005
【図４】
2015225740.tif 000006
【図５】
2015225740.tif 000007
【図６】
2015225740.tif 000008
【図７】
2015225740.tif 000009
【図８】
2015225740.tif 000010
【図９】
2015225740.tif 000011
【図１０】
2015225740.tif 000012
【図１１】
2015225740.tif 000013